(57)【要約】  平滑化部（１３ａ）は、検出された各蓄電ブロックの電圧を、一定期間の過去データをもとに平滑化する。算出部（１３ｂ）は、ｎ個の蓄電ブロックの内、１つの蓄電ブロックの平滑化電圧と、残りの蓄電ブロックまたは全ての蓄電ブロックの平滑化電圧の代表値との差分を算出する。判定部（１３ｃ）は、当該代表値との差分が、所定期間において設定値以上、拡大した蓄電ブロックを、異常な蓄電セルを含む蓄電ブロックと判定する。
2018043222.tif 000002
【特許請求の範囲】
【請求項１】
蓄電セルをｍ（ｍは１以上の整数）個、並列に接続した蓄電ブロックを、ｎ（ｎは２以上の整数）個、直列に接続した蓄電モジュールを管理する管理装置であって、
前記ｎ個の蓄電ブロックの各電圧を検出する電圧検出部と、
検出された各蓄電ブロックの電圧を、一定期間の過去データをもとに平滑化する平滑化部と、
前記ｎ個の蓄電ブロックの内、１つの蓄電ブロックの平滑化電圧と、残りの蓄電ブロックまたは全ての蓄電ブロックの平滑化電圧の代表値との差分を算出する算出部と、
前記代表値との差分が、所定期間において設定値以上、拡大した蓄電ブロックを、異常な蓄電セルを含む蓄電ブロックと判定する判定部と、
を備えることを特徴とする管理装置。
【請求項２】
前記平滑化部は、検出された各蓄電ブロックの電圧を、１０時間以上の過去データをもとに平滑化することを特徴とする請求項１に記載の管理装置。
【請求項３】
前記算出部は、前記ｎ個の蓄電ブロックの内、１つの蓄電ブロックの平滑化電圧と、残りの蓄電ブロックの中央値との差分を算出することを特徴とする請求項１または２に記載の管理装置。
【請求項４】
蓄電セルをｍ（ｍは１以上の整数）個、並列に接続した蓄電ブロックを、ｎ（ｎは２以上の整数）個、直列に接続した蓄電モジュールを管理する管理装置であって、
前記ｎ個の蓄電ブロックの各電圧を検出する電圧検出部と、
検出された各蓄電ブロックの電圧に基づくＳＯＣ(State Of Charge)を、一定期間の過去データをもとに平滑化する平滑化部と、
前記ｎ個の蓄電ブロックの内、１つの蓄電ブロックの平滑化ＳＯＣと、残りの蓄電ブロックまたは全ての蓄電ブロックの平滑化ＳＯＣの代表値との差分を算出する算出部と、
前記代表値との差分が、所定期間において設定値以上、拡大した蓄電ブロックを、異常な蓄電セルを含む蓄電ブロックと判定する判定部と、
を備えることを特徴とする管理装置。
【請求項５】
前記平滑化部による平滑化処理、前記算出部による前記差分の算出処理、及び前記判定部による判定処理は、前記蓄電ブロックの電圧が所定範囲に収まるとき実行され、前記蓄電ブロックの電圧が前記所定範囲を逸脱するとき中断されることを特徴とする請求項１または４に記載の管理装置。
【請求項６】
前記平滑化部による平滑化処理、前記算出部による前記差分の算出処理、及び前記判定部による判定処理は、前記蓄電ブロックのＳＯＣが所定範囲に収まるとき実行され、前記蓄電ブロックのＳＯＣが前記所定範囲を逸脱するとき中断されることを特徴とする請求項１または４に記載の管理装置。
【請求項７】
蓄電モジュールと、
前記蓄電モジュールを管理する請求項１から６のいずれかに記載の管理装置と、
を備えることを特徴とする蓄電システム。
【発明の詳細な説明】
【技術分野】
【０００１】
本発明は、蓄電部を管理するための管理装置、及び蓄電システムに関する。
【背景技術】
【０００２】
近年、リチウムイオン電池やニッケル水素電池等の二次電池が様々な用途で使用されている。例えば、ＥＶ(Electric Vehicle)、ＨＥＶ (Hybrid Electric Vehicle)、ＰＨＶ(Plug-in Hybrid Vehicle)の走行用モータに電力を供給することを目的とする車載（電動自転車を含む）用途、ピークシフト、バックアップを目的とした蓄電用途、系統の周波数安定化を目的としたＦＲ（Frequency Regulation）用途等に使用されている。【０００３】
リチウムイオン電池等の二次電池では、セパレータのずれによる正極と負極の接触、電池内への異物混入による導電路の発生等に起因して、電池内において微小短絡が発生することがある。微小短絡は過熱の原因となり、微小短絡の状態から、異物の向きの変化等により、完全短絡の状態に移行する場合もある。【０００４】
微小短絡は一般的に、充放電が停止している期間中のセル電圧またはＳＯＣ(State Of Charge)の変化に基づき検出される（例えば、特許文献１参照）。微小短絡が発生すると、電池の正極と負極間に導電路が形成されるため、微小短絡が発生した電池では充放電の停止中にも電流が流れ、電圧およびＳＯＣが低下していく。また充電継続中のセル電圧の上昇率または放電継続中のセル電圧の下降率をもとに微小短絡を検出する方法も提案されている（例えば、特許文献２参照）。
【先行技術文献】
【特許文献】
【０００５】
【特許文献１】特開２０１４−１１２０９３号公報
【特許文献２】特開２０１０−２３１９３９号公報
【発明の概要】
【発明が解決しようとする課題】
【０００６】
ＦＲに使用される蓄電システムでは２４時間、充放電し続けるものも存在している。ＦＲでは系統の周波数または電圧に応じて、蓄電システムから商用電力系統（以下、単に系統という）への放電と、系統から蓄電システムへの充電が不規則に発生する。このように停止期間が短く、充放電が不規則なパターンで発生する蓄電システムでは、上述の方法で微小短絡を検出することが難しい。同様にセルが漏電している場合も、検出することが難しい。【０００７】
本発明はこうした状況に鑑みなされたものであり、その目的は、電流の状態を考慮することなく、セルの異常を検出する技術を提供することにある。
【課題を解決するための手段】
【０００８】
上記課題を解決するために、本発明のある態様の管理装置は、蓄電セルをｍ（ｍは１以上の整数）個、並列に接続した蓄電ブロックを、ｎ（ｎは２以上の整数）個、直列に接続した蓄電モジュールを管理する管理装置であって、前記ｎ個の蓄電ブロックの各電圧を検出する電圧検出部と、検出された各蓄電ブロックの電圧を、一定期間の過去データをもとに平滑化する平滑化部と、前記ｎ個の蓄電ブロックの内、１つの蓄電ブロックの平滑化電圧と、残りの蓄電ブロックまたは全ての蓄電ブロックの平滑化電圧の代表値との差分を算出する算出部と、前記代表値との差分が、所定期間において設定値以上、拡大した蓄電ブロックを、異常な蓄電セルを含む蓄電ブロックと判定する判定部と、を備える。【０００９】
なお、以上の構成要素の任意の組み合わせ、本発明の表現を方法、装置、システムなどの間で変換したものもまた、本発明の態様として有効である。
【発明の効果】
【００１０】
本発明によれば、電流の状態を考慮することなく、セルの異常を検出することができる。
【図面の簡単な説明】
【００１１】
【図１】本発明の実施の形態に係る蓄電システムの使用例を説明するための図である。
【図２】本発明の実施の形態に係る蓄電システムの構成例を示す図である。
【図３】電池セルの異常発生の一例を示す図である。
【図４】本発明の実施の形態に係る電池管理装置による、微小短絡検出方法の流れを示すフローチャートである。
【発明を実施するための形態】
【００１２】
図１は、本発明の実施の形態に係る蓄電システム１の使用例を説明するための図である。図１に示す蓄電システム１はＦＲに使用され、パワーコンディショナシステム２を介して系統３に接続される。パワーコンディショナシステム２は双方向インバータを含み、蓄電システム１の放電時、蓄電システム１から供給される直流電力を交流電力に変換して系統３に供給する。また蓄電システム１の充電時、系統３から供給される交流電力を直流電力に変換して蓄電システム１に供給する。
【００１３】
電力会社などの電力供給者は、電力を安定供給する必要があり、系統３の周波数および電圧を一定範囲に保つ必要がある。系統３に再生可能エネルギーの発電設備が多く接続されている場合、気象条件により発電量が大きく変化する。蓄電システム１は系統安定化のための手段として活用される。
【００１４】
特に米国では、独立系統運用者（ＩＳＯ:Independend System Operators)または地域送電機関（ＲＴＯ:Regional Transmission Organization)が、アンシラリーサービスの市場取引を始めている。ＩＳＯまたはＲＴＯは、入札により調達した蓄電システム１のパワーコンディショナシステム２に対して、数秒ごとの電力指令を通知して系統周波数の変動抑制を行う。具体的には系統周波数が低下した場合は放電指令を通知し、系統周波数が上昇した場合は充電指令を通知する。
【００１５】
図２は、本発明の実施の形態に係る蓄電システム１の構成例を示す図である。蓄電システム１は蓄電モジュール２０及び電池管理装置１０を備える。蓄電モジュール２０は、ｎ（ｎは２以上の整数）個の電池ブロック（第１電池ブロックＢ１、第２電池ブロックＢ２、・・・、第ｎ電池ブロックＢｎ）が直列に接続されて構成される。第１電池ブロックＢ１は、ｍ（ｍは１以上の整数）個の電池セルＳ１１−Ｓ１ｍが並列に接続されて構成される。第２電池ブロックＢ２及び第ｎ電池ブロックＢｎも同様である。電池セルには、リチウムイオン電池セル、ニッケル水素電池セル、鉛電池セル等を使用することができる。以下、本明細書ではリチウムイオン電池セルを使用する例を想定する。なお図２では１つの蓄電モジュール２０を描いているが、複数の蓄電モジュールをさらに直列に接続して出力電圧を増加させることもできる。
【００１６】
電池管理装置１０は電圧検出部１１、制御部１３及び記憶部１４を含む。電圧検出部１１は各電池ブロックＢ１、Ｂ２、・・・、Ｂｎの検出電圧を所定のサンプリング周期（例えば、１秒周期）で検出し、制御部１３に出力する。制御部１３は平滑化部１３ａ、算出部１３ｂ及び判定部１３ｃを含む。制御部１３の構成は、ハードウェア資源とソフトウェア資源の協働、またはハードウェア資源のみにより実現できる。ハードウェア資源として、マイクロコンピュータ、ＤＳＰ、ＦＰＧＡ、その他のＬＳＩを利用できる。ソフトウェア資源としてファームウェア等のプログラムを利用できる。記憶部１４はＲＯＭ、及びＲＡＭで実現でき、本実施の形態では平滑化部１３ａ、算出部１３ｂ及び判定部１３ｃのワークエリアとして使用される。
【００１７】
平滑化部１３ａは、電圧検出部１１により検出された各電池ブロックＢ１、Ｂ２、・・・、Ｂｎの電圧を、一定期間（例えば、１０時間、１２時間、２４時間）以上の過去データをもとに平滑化して平滑化電圧を生成する。平滑化部１３ａは例えば、下記（式１）の１次ローパスフィルタを用いて各電池ブロックＢ１、Ｂ２、・・・、Ｂｎの電圧を平滑化する。
【００１８】
Ｖ~（ｔ）＝αＶ（ｔ）＋（１−α）Ｖ~（ｔ−１）  ・・・（式１）
０＜α＜１
αを０に近づけるほど平滑化の強度が強くなり、１に近づけるほど平滑化の強度が弱くなる。
【００１９】
なお上記（式１）は平滑化処理の一例であり、他の平滑化処理を用いてもよい。例えば、一定期間の検出電圧の移動平均を算出して平滑化電圧を生成してもよい。
【００２０】
算出部１３ｂは、ｎ個の電池ブロックＢ１、Ｂ２、・・・、Ｂｎの平滑化電圧の内、対象電池ブロックの平滑化電圧を除く、残りの電池ブロックの平滑化電圧の代表値を算出する。例えば代表値として、残りの電池ブロックの平滑化電圧の中央値を算出する。また代表値として、残りの電池ブロックの平滑化電圧の平均値を用いてもよい。その際、残りの電池ブロックの平滑化電圧の最大値と最小値を除いて、平均値を算出してもよい。算出部１３ｂは、対象電池ブロックの平滑化電圧と、残りの電池ブロックの平滑化電圧の代表値との差分を算出する。
【００２１】
判定部１３ｃは当該差分が、所定期間において設定値以上拡大した場合、対象電池ブロックを、微小短絡した電池セルを含む電池ブロックと判定する。例えば、１２時間で５ｍＶ以上、差分が拡大した場合、微小短絡した電池セルを含む電池ブロックと判定する。なお、判定基準は電池の仕様、並列数に依存する。電池の容量および／または並列数が多いほど、微小短絡による放電の影響が小さくなるため、判定基準となる判定時間に対する差分変化の傾きを緩く設定する。反対に電池の容量および／または並列数が少ないほど、判定基準となる判定時間に対する差分変化の傾きを急に設定する。
【００２２】
図３は、電池セルの異常発生の一例を示す図である。以下、図３に示すように第１電池ブロックＢ１と第２電池ブロックＢ２の２つが直列に接続された状態を例に説明する。図２に示すように各電池ブロックを構成する各電池セルは内部抵抗Ｒ１１−Ｒｎｍを有している。
【００２３】
第２電池ブロックＢ２の電池セルＳ２１で微小短絡が発生すると、電池セルＳ２１内部に形成された微小短絡経路Ｐｓを電流が流れるようになる。従って第２電池ブロックＢ２は、各電池セルの内部抵抗Ｒ２１−Ｒ２ｍによる自己放電に加えて、電池セルＳ２１の微小短絡経路Ｐｓによる放電が発生する。よって、第２電池ブロックＢ２の電圧降下が、第１電池ブロックＢ１の電圧降下より大きくなる。
【００２４】
図４は、本発明の実施の形態に係る電池管理装置１０による、微小短絡検出方法の流れを示すフローチャートである。初期値として変数ｉに１が設定される（Ｓ１０）。電圧検出部１１は、ｎ個の電池ブロックの電圧を検出する（Ｓ１１）。平滑化部１３ａは、各電池ブロックの電圧を平滑化して、平滑化電圧を生成する（Ｓ１２）。
【００２５】
算出部１３ｂは、電池ブロック（ｉ）を除く、残りの電池ブロックの平滑化電圧の中央値を算出する（Ｓ１３）。算出部１３ｂは、算出した中央値から、電池ブロック（ｉ）の平滑化電圧を減算して差分（ｉ）を算出する（Ｓ１４）。算出部１３ｂは、現在算出した差分（ｉ）から、所定期間前に算出した差分（ｉ）を減算して、差分（ｉ）の変化値ΔＶを算出する（Ｓ１５）。判定部１３ｃは、差分（ｉ）の変化値ΔＶが設定値以上であるか否か判定する（Ｓ１６）。設定値は、電池の仕様、並列数、当該電池で微小短絡が発生した際に流れる電流などの実験データ又はシミュレーションデータをもとに、設計者により導出された値に設定される。
【００２６】
差分（ｉ）の変化値ΔＶが設定値以上のとき（Ｓ１６のＹ）、判定部１３ｃは電池ブロック（ｉ）に、微小短絡している電池セルを含むと判定する（Ｓ１７）。判定部１３ｃは、微小短絡の発生を上位の装置（本実施の形態では、パワーコンディショナシステム２）に通知する。差分（ｉ）の変化値ΔＶが設定値未満のとき（Ｓ１６のＮ）、ステップＳ１７の処理をスキップする。
【００２７】
変数ｉがインクリメントされ（Ｓ１８）、変数ｉが直列数ｎを超えたか否か判定される（Ｓ１９）。変数ｉが直列数ｎ以下の場合（Ｓ１９のＮ）、ステップＳ１３に遷移し、他の電池ブロックの微小短絡の判定処理を継続する。変数ｉが直列数ｎを超えた場合（Ｓ１９のＹ）において、サンプリング期間経過後（Ｓ２０のＹ）、ステップＳ１０に遷移し（Ｓ２１のＮ）、新たな電圧を検出する。電池管理装置１０の電源がオフになると（Ｓ２１のＹ）、微小短絡検出処理が終了する。なお図４では、電源オフの判定条件がステップＳ２１に記載されているが、電池管理装置１０の電源がオフされた場合、どの時点においても微小短絡検出処理は終了となる。
【００２８】
以上説明したように本実施の形態によれば、一定期間の電圧を平滑化した平滑化電圧を使用することにより、電圧検出時のステータス（充電、放電、停止）の影響を取り除くことができる。従って電流の状態と無関係に電池セルの微小短絡を検出することができる。即ち、充電と放電を切り分ける必要がなく、電流値の制約を受けずに一律に微小短絡の有無を判定することができる。電流値の制約を受けないため、常時充放電する用途にも適用できる。また、検出電圧より変動が小さい平滑化電圧を使用することで、ＦＲなどの、充電と放電の変動が不規則で激しく変化する用途にも適用することができる。なおＦＲ用途に限らず、車載用途、定置型用途にも同じアルゴリズムを適用することができ、汎用性が高い。
【００２９】
また、一般的に使用されている電池ブロックの電圧検出機能のみを利用して、微小短絡を検知することができ、異常検知のための特別なハードウェアを追加する必要はない。また、本実施の形態で利用する特徴量（平滑化電圧の変化量）は微小短絡が発生すると、早期に変化が発生するため短時間での検出が可能となる。これに対して、対象電池ブロックの平滑化電圧と、残りの電池ブロックの平滑化電圧の代表値との差分をもとに判定する場合、検出に時間がかかる。温度や劣化等によっても電池ブロックの電圧にバラツキが発生するため、微小短絡により電池ブロックの電圧に差が発生していることを確定するには時間が必要となる。
【００３０】
以上、本発明を実施の形態をもとに説明した。実施の形態は例示であり、それらの各構成要素や各処理プロセスの組み合わせにいろいろな変形例が可能なこと、またそうした変形例も本発明の範囲にあることは当業者に理解されるところである。
【００３１】
上述の実施の形態では、対象電池ブロックの平滑化電圧と、残りの電池ブロックの平滑化電圧の代表値を比較することにより、対象電池ブロックに含まれる電池セルの微小短絡の有無を判定した。この点、対象電池ブロックの平滑化ＳＯＣと、残りの電池ブロックの平滑化ＳＯＣの代表値を比較することにより、対象電池ブロックに含まれる電池セルの微小短絡の有無を判定してもよい。
【００３２】
各電池ブロックのＳＯＣは、ＯＣＶ（Open Circuit Voltage）法により推定することができる。電池の開回路電圧とＳＯＣには安定的な関係があり、開回路電圧を検出することによりＳＯＣを推定することができる。なおＳＯＣは、電流積算法により算出することもできるが、検出された電流値からは、直列接続された電池ブロックの内、微小短絡が発生している電池ブロックの位置は特定することができない。
【００３３】
上述の実施の形態では、対象電池ブロックの平滑化電圧／ＳＯＣと、残りの電池ブロックの平滑化電圧／ＳＯＣの代表値を比較することにより、対象電池ブロックに含まれる電池セルの微小短絡の有無を判定した。この点、対象電池ブロックの平滑化電圧／ＳＯＣと、全ての電池ブロックの平滑化電圧／ＳＯＣの代表値を比較することにより、対象電池ブロックに含まれる電池セルの微小短絡の有無を判定してもよい。
【００３４】
対象電池ブロックの平滑化電圧／ＳＯＣと、対象電池ブロックを含まない残りの電池ブロックの平滑化電圧／ＳＯＣの代表値を比較する場合、両者の差異を大きくすることができる。一方、対象電池ブロックの平滑化電圧／ＳＯＣと、全ての電池ブロックの平滑化電圧／ＳＯＣの代表値を比較する場合、代表値の算出が１回で済むため、演算量を低減することができる。
【００３５】
また上述の実施の形態では、蓄電モジュールとして、１つ以上の電池セルを含む電池ブロックを用いる例を想定したが、１つ以上のキャパシタセル（例えば、電気二重層キャパシタセル、リチウムイオンキャパシタセル）を含む蓄電ブロックを用いてもよい。
【００３６】
上述した、対象電池ブロックの電圧／ＳＯＣの平滑化処理から微小短絡の有無の判定処理までの一連の処理は、対象電池ブロックの電圧／ＳＯＣが所定範囲内のときのみ実行してもよい。例えば、対象電池ブロックの電圧／ＳＯＣが所定の中間領域（例えば、ＳＯＣ１０％〜９０％に相当する電圧領域、より好ましくはＳＯＣ３０％〜７０％に相当する電圧領域）の範囲内のとき上述の一連の処理を実行し、所定の中間領域の範囲外のとき当該一連の処理を中断する。ＳＯＣが低い領域では電圧変化が激しく平滑化の精度が低下することがある。同様にＳＯＣが高い領域でも平滑化の精度が低下することがある。従って、上記の範囲制限を行うことにより、微小短絡の判定精度の低下を防ぐことができる。なお、対象電池ブロックの電圧／ＳＯＣが上記の中間領域外に逸脱した場合、当該中間領域に復帰するように充電／放電制御するか、微小短絡の検出方法を他の方法に切り替える。
【００３７】
また上述の実施の形態では、平滑化する期間を１０時間以上と長めに設定して検出精度を高める例を想定した。この点、平滑化する期間を１〜２時間と短くし、現在の差分（ｉ）を過去の差分（ｉ）と比較する際、より長期間遡った過去の差分（ｉ）を使用することにより、検出精度を高めてもよい。
【００３８】
なお、実施の形態は、以下の項目によって特定されてもよい。
【００３９】
［項目１］
蓄電セル（Ｓ１１−Ｓｎｍ）をｍ（ｍは１以上の整数）個、並列に接続した蓄電ブロック（Ｂ１−Ｂｎ）を、ｎ（ｎは２以上の整数）個、直列に接続した蓄電モジュール（２０）を管理する管理装置（１０）であって、
前記ｎ個の蓄電ブロック（Ｂ１−Ｂｎ）の各電圧を検出する電圧検出部（１１）と、
検出された各蓄電ブロック（Ｂ１−Ｂｎ）の電圧を、一定期間の過去データをもとに平滑化する平滑化部（１３ａ）と、
前記ｎ個の蓄電ブロック（Ｂ１−Ｂｎ）の内、１つの蓄電ブロック（Ｂ１）の平滑化電圧と、残りの蓄電ブロック（Ｂ２−Ｂｎ）または全ての蓄電ブロック（Ｂ１−Ｂｎ）の平滑化電圧の代表値との差分を算出する算出部（１３ｂ）と、
前記代表値との差分が、所定期間において設定値以上、拡大した蓄電ブロック（Ｂ１）を、異常な蓄電セル（Ｓ１１）を含む蓄電ブロック（Ｂ１）と判定する判定部（１３ｃ）と、
を備えることを特徴とする管理装置（１０）。
これによれば、電流の状態を考慮することなく、蓄電セルの異常を検出することができる。
［項目２］
前記平滑化部（１３ａ）は、検出された各蓄電ブロック（Ｂ１−Ｂｎ）の電圧を、１０時間以上の過去データをもとに平滑化することを特徴とする項目１に記載の管理装置（１０）。
これによれば、検出値から充放電の状態の影響を排除することができる。
［項目３］
前記算出部（１３ｂ）は、前記ｎ個の蓄電ブロック（Ｂ１−Ｂｎ）の内、１つの蓄電ブロック（Ｂ１）の平滑化電圧と、残りの蓄電ブロック（Ｂ２−Ｂｎ）の中央値との差分を算出することを特徴とする項目１または２に記載の管理装置（１０）。
これによれば、ノイズの影響を受けにくい代表値を算出することができる。
［項目４］
蓄電セル（Ｓ１１−Ｓｎｍ）をｍ（ｍは１以上の整数）個、並列に接続した蓄電ブロック（Ｂ１−Ｂｎ）を、ｎ（ｎは２以上の整数）個、直列に接続した蓄電モジュール（２０）を管理する管理装置（１０）であって、
前記ｎ個の蓄電ブロック（Ｂ１−Ｂｎ）の各電圧を検出する電圧検出部（１１）と、
検出された各蓄電ブロック（Ｂ１−Ｂｎ）の電圧に基づくＳＯＣを、一定期間の過去データをもとに平滑化する平滑化部（１３ａ）と、
前記ｎ個の蓄電ブロック（Ｂ１−Ｂｎ）の内、１つの蓄電ブロック（Ｂ１）の平滑化ＳＯＣと、残りの蓄電ブロック（Ｂ２−Ｂｎ）または全ての蓄電ブロック（Ｂ１−Ｂｎ）の平滑化ＳＯＣの代表値との差分を算出する算出部（１３ｂ）と、
前記代表値との差分が、所定期間において設定値以上、拡大した蓄電ブロック（Ｂ１）を、異常な蓄電セル（Ｓ１１）を含む蓄電ブロック（Ｂ１）と判定する判定部（１３ｃ）と、
を備えることを特徴とする管理装置（１０）。
これによれば、電流の状態を考慮することなく、蓄電セルの異常を検出することができる。
［項目５］
前記平滑化部（１３ａ）による平滑化処理、前記算出部（１３ｂ）による前記差分の算出処理、及び前記判定部（１３ｃ）による判定処理は、前記蓄電ブロック（Ｂ１）の電圧が所定範囲に収まるとき実行され、前記蓄電ブロック（Ｂ１）の電圧が前記所定範囲を逸脱するとき中断されることを特徴とする項目１または４に記載の管理装置（１０）。
これによれば、異常な蓄電セル（Ｓ１１）を含む蓄電ブロック（Ｂ１）の検出精度の低下を抑えることができる。
［項目６］
前記平滑化部（１３ａ）による平滑化処理、前記算出部（１３ｂ）による前記差分の算出処理、及び前記判定部（１３ｃ）による判定処理は、前記蓄電ブロック（Ｂ１）のＳＯＣが所定範囲に収まるとき実行され、前記蓄電ブロック（Ｂ１）のＳＯＣが前記所定範囲を逸脱するとき中断されることを特徴とする項目１または４に記載の管理装置（１０）。
これによれば、異常な蓄電セル（Ｓ１１）を含む蓄電ブロック（Ｂ１）の検出精度の低下を抑えることができる。
［項目７］
蓄電モジュール（２０）と、
前記蓄電モジュール（２０）を管理する項目１から６のいずれかに記載の管理装置（１０）と、
を備えることを特徴とする蓄電システム（１）。
これによれば、電流の状態を考慮することなく、蓄電セルの異常を検出することができる。
【符号の説明】
【００４０】
１  蓄電システム、  ２  パワーコンディショナシステム、  ３  系統、  １０  電池管理装置、  １１  電圧検出部、  １３  制御部、  １３ａ  平滑化部、  １３ｂ  算出部、  １３ｃ  判定部、  １４  記憶部、  ２０  蓄電モジュール、  Ｂ１  第１電池ブロック、  Ｂ２  第２電池ブロック、  Ｂｎ  第ｎ電池ブロック、  Ｓ１１  電池セル、  Ｒ１１  内部抵抗、  Ｐｓ  微短絡経路。
【図１】
2018043222.tif 000003
【図２】
2018043222.tif 000004
【図３】
2018043222.tif 000005
【図４】
2018043222.tif 000006
【国際調査報告】
2018043222.tif 000007
2018043222.tif 000008
2018043222.tif 000009
2018043222.tif 000010